(57)【要約】【課題】携帯性が良く、どこでも手軽に使用することができ、コストの低減化が可能なストレッチ運動用サポーターを提供する。【解決手段】本発明に係るストレッチ運動用サポーター１，２１は、手首又は足首に取付可能に設けられる固定部３，２３と、掌又は足裏に対向するように設けられる本体部４，２４と、本体部４，２４の親指部分から先端方向に延出する親指ストレッチ部５，２５と、親指ストレッチ部５，２５とは別個に本体部４，２４の親指部分以外の他の指部分から先端方向に延出する他の指ストレッチ部６，２６とを備え、親指ストレッチ部５，２５及び他の指ストレッチ部６，２６をそれぞれ手又は足の甲側に折り返し、各先端部を固定部３，２３に固定することにより、手又は足の各指が伸展されるように構成されていることを特徴とする。【選択図】図２
2008240173.tif 000002
【特許請求の範囲】
【請求項１】
手首又は足首に取付可能に設けられる固定部と、
掌又は足裏に対向するように設けられる本体部と、
該本体部の親指部分から先端方向に延出する親指ストレッチ部と、
該親指ストレッチ部とは別個に前記本体部の親指部分以外の他の指部分から先端方向に延出する他の指ストレッチ部と、
を備え、前記親指ストレッチ部及び前記他の指ストレッチ部をそれぞれ手又は足の甲側に折り返し、各先端部を前記固定部に固定することにより、手又は足の各指が伸展されるように構成されていることを特徴とするストレッチ運動用サポーター。
【請求項２】
手根又は踵に対応する部分に位置決め穴が形成されている請求項１に記載のストレッチ運動用サポーター。
【請求項３】
前記他のストレッチ部は、人差指部分と中指部分と薬指部分から先端方向に延出する中側の指ストレッチ部と、小指部分から先端方向に延出する小指ストレッチ部とに２分割されている請求項１又は２に記載のストレッチ運動用サポーター。
【発明の詳細な説明】
【技術分野】
【０００１】
本発明は、手や足をストレッチ運動するために使用するストレッチ運動用サポーターに関するものである。
【背景技術】
【０００２】
一般に、ストレッチ運動は健康維持や体質改善に効果を有することが知られている。そのため、従来、この種のストレッチ運動を行なうための健康器具や履物などが各種提案されており、例えば、前方が高くなるように角度調整した踏み板上に足を載せてストレッチ運動が可能なように構成した足の健康器具や（例えば、特許文献１参照）、爪先部分が踵部分より高くなるように形成した履物（例えば、特許文献２参照）などが公知である。
【特許文献１】特開２００６−３０５２４９号公報
【特許文献２】特開平１０−２８６１０４号公報
【発明の開示】
【発明が解決しようとする課題】
【０００３】
しかしながら、上記した特許文献１の健康器具は椅子に座った姿勢で使用し、また、特許文献２の履物は立った姿勢で使用するものであり、いずれも使用時の姿勢が限定されると共に嵩張る形状を成しているため、携帯性が悪く、手軽に使用し難いといった問題があった。
【０００４】
また、製造に手間が掛かり、コスト増の要因となっていた。
【０００５】
本発明は、上記した課題を解決すべくなされたものであり、携帯性が良く、どこでも手軽に使用することができ、コストの低減化が可能なストレッチ運動用サポーターを提供することを目的とするものである。
【課題を解決するための手段】
【０００６】
上記した目的を達成するため、本発明に係るストレッチ運動用サポーターは、手首又は足首に取付可能に設けられる固定部と、掌又は足裏に対向するように設けられる本体部と、該本体部の親指部分から先端方向に延出する親指ストレッチ部と、該親指ストレッチ部とは別個に前記本体部の親指部分以外の他の指部分から先端方向に延出する他の指ストレッチ部とを備え、前記親指ストレッチ部及び前記他の指ストレッチ部をそれぞれ手又は足の甲側に折り返し、各先端部を前記固定部に固定することにより、手又は足の各指が伸展されるように構成されていることを特徴とする。
【０００７】
本発明に係るストレッチ運動用サポーターにおいて、手根又は踵に対応する部分に位置決め穴が形成されていてもよい。
【０００８】
また、前記他のストレッチ部は、人差指部分と中指部分と薬指部分から先端方向に延出する中側の指ストレッチ部と、小指部分から先端方向に延出する小指ストレッチ部とに２分割されていてもよい。
【発明の効果】
【０００９】
本発明によれば、携帯性が良く、どこでも手軽に使用することができ、コストの低減化を図ることができる。
【発明を実施するための最良の形態】
【００１０】
以下、図面を参照しつつ、本発明の実施の形態について説明する。
【００１１】
先ず、図１及び図２を参照しつつ、本発明の第１の実施の形態に係るストレッチ運動用サポーターについて説明する。
【００１２】
図１は本発明の第１の実施の形態に係るストレッチ運動用サポーターを示す平面図であり、該ストレッチ運動用サポーター１は、足２のストレッチ運動を行うためのものであり、伸縮性に富んだ弾力性のある布等により形成されている。そして、このストレッチ運動用サポーター１は、足首に取付可能に設けられる固定部３と、足裏に対向するように設けられる本体部４と、本体部４の親指部分から先端方向に延出する親指ストレッチ部５と、親指ストレッチ部５とは別個に本体部４の親指部分以外の他の指部分から先端方向に延出する他の指ストレッチ部６とを備えて構成されている。
【００１３】
また、固定部３と親指ストレッチ部５及び他の指ストレッチ部６の各先端部とはマジックテープ（登録商標）等の固定手段７により互いに固定されるようになっており、固定部３と本体部４の間には、踵に対応する部分に位置決め穴８が形成されている。
【００１４】
そして、このような構成を備えたストレッチ運動用サポーター１を使用して足２のストレッチ運動を行なう場合、先ず、図１に示すように、位置決め穴８に踵を位置合わせして本体部４に足裏部が対向するように足２をストレッチ運動用サポーター１上に載せる。
【００１５】
次いで、図２に示すように、親指ストレッチ部５を足２の甲９側に折り返し、固定手段７を介して親指ストレッチ部５の先端部を固定部３に固定し、足２の親指１０を上方に屈曲し、伸展させる。また、他の指ストレッチ部６についても、同様に、足２の甲９側に折り返し、固定手段７を介して他の指ストレッチ部６の先端部を固定部３に固定し、足２の親指９以外の他の指１１，１２，１３，１４を上方に屈曲し、伸展させる。なお、この場合、親指ストレッチ部５と他の指ストレッチ部６とが互いに交差するように固定部３に固定するのが望ましい。
【００１６】
このように親指ストレッチ部５と他の指ストレッチ部６とに分けることによって、最も太くて強い親指１０に掛かる負荷より他の指１１，１２，１３，１４に掛かる負荷を小さく設定することができる。したがって、親指１０に合わせて他の指１１，１２，１３，１４に過大な負荷を掛けることによって他の指１１，１２，１３，１４を傷付けたり、或いは、その反対に他の指に合わせて親指１０に過小な負荷を掛けることによって親指１０のストレッチ運動が十分に行われなかったりすることがなく、効率的なストレッチ運動を行なうことができる。また、親指ストレッチ部５と他の指ストレッチ部６とに分けることによって、使い勝手を向上させることもできる。
【００１７】
なお、上記した第１の実施の形態では、他の指ストレッチ部６を一体に形成しているが、これは単なる例示であり、例えば、人差指１１及び中指１２及び薬指１３用と、小指１４用とに２分割したり、或いは、人差指１１及び中指１２用と、薬指１３及び小指１４用とに２分割したり、或いは、それぞれの指毎に４分割したりする等、各種変更が可能である。
【００１８】
先ず、図３及び図４を参照しつつ、本発明の第２の実施の形態に係るストレッチ運動用サポーターについて説明する。
【００１９】
図３は本発明の第２の実施の形態に係るストレッチ運動用サポーターを示す平面図であり、該ストレッチ運動用サポーター２１は、手２２のストレッチ運動を行うためのものであり、伸縮性に富んだ弾力性のある布等により形成されている。そして、このストレッチ運動用サポーター２１は、手首に取付可能に設けられる固定部２３と、掌に対向するように設けられる本体部２４と、本体部２４の親指部分から先端方向に延出する親指ストレッチ部２５と、親指ストレッチ部２５とは別個に本体部２４の親指部分以外の他の指部分から先端方向に延出する他の指ストレッチ部２６とを備えて構成されており、この他の指ストレッチ部２６は、さらに、本体部４の人差指部分と中指部分と薬指部分から先端方向に延出する中側の指ストレッチ部２６ａと、本体部４の小指部分から先端方向に延出する小指ストレッチ部２６ｂとに２分割されている。
【００２０】
また、固定部２３は帯状を成し、手首の周囲に巻き付け固定可能となっており、固定部２３と親指ストレッチ部２５及び中側の指ストレッチ部２６ａ及び小指ストレッチ部２６ｂの各先端部とはマジックテープ（登録商標）等の固定手段２７により互いに固定されるようになっており、固定部２３と本体部２４の間には、手根に対応する部分に位置決め穴２８が形成されている。
【００２１】
このような構成を備えたストレッチ運動用サポーター２１を使用して手２２のストレッチ運動を行なう場合、先ず、図３に示すように、位置決め穴２８に手根を位置合わせして本体部２４に掌が対向するように手をストレッチ運動用サポーター２１上に載せる。
【００２２】
次いで、図４に示すように、親指ストレッチ部２５を手２２の甲２９側に折り返し、固定手段２７を介して親指ストレッチ部２５の先端部を固定部２３に固定し、手２２の親指３０を上方に屈曲し、伸展させる。また、中側の指ストレッチ部２６ａ及び小指ストレッチ部２６ｂについても、それぞれ同様に、手２２の甲２９側に折り返し、固定手段２７を介して中側の指ストレッチ部２６ａ及び小指ストレッチ部２６ｂの各先端部を固定部２３に固定し、人差指３１、中指３２、薬指３３、及び小指３４を上方に屈曲し、伸展させる。なお、この場合、親指ストレッチ部２５と中側の指ストレッチ部２６ａと小指ストレッチ部２６ｂとが互いに交差するように固定部２３に固定するのが望ましい。
【００２３】
このように親指ストレッチ部２５と中側の指ストレッチ部２６ａ及び小指ストレッチ部２６ｂとに分けることによって、最も太くて強い親指１０に掛かる負荷より人差指３１、中指３２、薬指３３に掛かる負荷を小さく設定することができると共に、人差指３１、中指３２、薬指３３に掛かる負荷より小指３４に掛かる負荷を小さく設定することができる。したがって、手の指の太さや強さに合わせて各指に掛かる負荷を調整することができるため、太くて強い指に負荷を合わせて他の細くて弱い指を傷付けたり、或いは反対に細くて弱い指に合わせて太くて強い指に小さな負荷を掛けることによって太くて強い指のストレッチ運動が十分に行われなかったりすることがなく、効率的なストレッチ運動を行なうことができる。また、親指ストレッチ部２５と中側の指ストレッチ部２６ａ及び小指ストレッチ部２６ｂとに分けることによって、使い勝手を向上させることもできる。
【００２４】
なお、上記した第２の実施の形態では、他の指ストレッチ部２６を本体部４の人差指部分と中指部分と薬指部分から先端方向に延出する中側の指ストレッチ部２６ａと、本体部４の小指部分から先端方向に延出する小指ストレッチ部２６ｂとに２分割しているが、これは単なる例示であり、例えば、人差指３１及び中指３２用と、薬指３３及び小指３４用とに２分割したり、或いは、それぞれの指毎に４分割したり、或いは、他の指ストレッチ部２６を分割しなかったりする等、各種変更が可能である。
【００２５】
上記したように本発明の各実施の形態によれば、容易に足２や手２２のストレッチ運動を行なうことができ、また、嵩張らず携帯性が良いため、手軽に使用することができる。また、ストレッチ運動用サポーター１，２１を装着したまま、椅子に腰掛けたり、寝転んだりした所望の姿勢で、テレビを視聴したり、読書をしたりする等、好きなことを自由に行うことができる。さらに、指に掛ける負荷を弱く設定したりすることにより、就寝中にストレッチ運動を行なうこともできる。
【図面の簡単な説明】
【００２６】
【図１】本発明の第１の実施の形態に係るストレッチ運動用サポーターを示す平面図である。
【図２】本発明の第１の実施の形態に係るストレッチ運動用サポーターの使用状態を示す側面図である。
【図３】本発明の第２の実施の形態に係るストレッチ運動用サポーターを示す平面図である。
【図４】本発明の第２の実施の形態に係るストレッチ運動用サポーターの使用状態を示す側面図である。
【符号の説明】
【００２７】
１          ストレッチ運動用サポーター
２          足
３          固定部
４          本体部
５          親指ストレッチ部
６          他の指ストレッチ部
８          位置決め穴
２１        ストレッチ運動用サポーター
２２        手
２３        固定部
２４        本体部
２５        親指ストレッチ部
２６        他の指ストレッチ部
２６ａ      中側の指ストレッチ部
２６ｂ      小指ストレッチ部
２８          位置決め穴
【図１】
2008240173.tif 000003
【図２】
2008240173.tif 000004
【図３】
2008240173.tif 000005
【図４】
2008240173.tif 000006